(57)【特許請求の範囲】
【請求項１】
レーザ光により光ディスクに情報を記録する光ピックアップと、
前記レーザ光の光量を制御するレーザ駆動部と、
前記光ディスクからの反射光を基にＲＦ信号を生成する再生信号検出部と、
前記ＲＦ信号を基にβ値を算出するβ検出部と、
前記レーザ駆動部を複数の駆動値で駆動して複数の記録パワーに基づき複数のβ値を算出し、前記算出した複数のβ値を比較して記録パワーの最適化処理を行う制御部と、を備え、
前記制御部は、
前記複数のβ値を算出する際に用いた前記記録パワーを昇順もしくは降順に並べたとき、
前記記録パワーに対応する少なくとも３つのβ値が連続して単調増加または単調減少をするβ値のうち、連続した２つのβ値の差をＸと定義し、
最初に現れる単調増加または単調減少に反するβ値と、そのβ値に対して２つ隣に位置する単調増加または単調減少をするβ値との差をＹと定義し、
２番目に現れる単調増加または単調減少に反するβ値と、そのβ値に対して２つ隣に位置する単調増加または単調減少をするβ値との差をＺと定義した場合、
所定の数式｜２Ｘ−Ｙ｜＞｜２Ｘ−Ｚ｜
を用いて単調増加または単調減少に反するβ値の中から補正するβ値を決定することを特徴とする光ディスク装置。
【請求項２】
前記制御部は、
前記所定の数式を満足し、かつ３Ｘ＞Ｚ＞Ｘを満足する場合、
前記最初に現れる単調増加または単調減少に反するβ値の値を補正することを特徴とする請求項１記載の光ディスク装置。
【請求項３】
前記制御部は、
前記所定の数式を満足せず、かつ３Ｘ＞Ｙ＞Ｘを満足する場合、
前記２番目に現れる単調増加または単調減少に反するβ値の値を補正することを特徴とする請求項１記載の光ディスク装置。
【請求項４】
複数の記録パワーに基づき複数のβ値を算出し、前記算出した複数のβ値を比較して記録パワーの最適化処理を行う光ディスク装置の記録方法であって、
前記複数のβ値を算出する際に用いた前記記録パワーを昇順もしくは降順に並べたとき、
前記記録パワーに対応する少なくとも３つのβ値が連続して単調増加または単調減少をするβ値のうち、連続した２つのβ値の差をＸと定義し、
最初に現れる単調増加または単調減少に反するβ値と、そのβ値に対して２つ隣に位置する単調増加または単調減少をするβ値との差をＹと定義し、
２番目に現れる単調増加または単調減少に反するβ値と、そのβ値に対して２つ隣に位置する単調増加または単調減少をするβ値との差をＺと定義した場合、
第１の数式｜２Ｘ−Ｙ｜＞｜２Ｘ−Ｚ｜と、
第２の数式３Ｘ＞Ｚ＞Ｘと、
第３の数式３Ｘ＞Ｙ＞Ｘと、
を用いて単調増加または単調減少に反するβ値の値を補正し前記記録パワーの最適化処理を行うことを特徴とする光ディスク装置の記録方法。
【発明の詳細な説明】
【技術分野】
【０００１】
本発明は、光ディスクに情報の記録を行う光ディスク装置の記録方法および光ディスク装置に関するものである。
【背景技術】
【０００２】
光ディスク装置は、各方面への応用と高性能化への開発が活発に行われている。特に最近では、光ディスク装置の高倍速化、軽薄化、軽量化が行われ、光ディスクに対する記録制御も高速制御を要求されるようになってきている。
【０００３】
ここで、光ディスク装置の光ピックアップ制御部の構成について、図６を用いて説明する。
【０００４】
図６は、従来の光ディスク装置における記録パワー制御系のブロック図である。図６において、１は光ディスク、２は光ピックアップ、３は再生信号検出回路、４はスピンドルモータ、５はトラバースメカ、６はレーザ駆動回路、７は記録制御回路、８はサーボ制御回路、９はβ検出回路、１０はコントロール回路、１１はピックアップモジュールである。
【０００５】
ピックアップモジュール１１は、光ディスク１を回転させるスピンドルモータ４と、光ディスク１の情報信号を記録または再生の少なくとも一方を行う光ピックアップ２と、光ピックアップ２が搭載されたキャリッジを光ディスク１の半径方向に移動させるためのトラバースメカ５とによって構成されたものである。
【０００６】
再生信号検出回路３は、光ピックアップ２内部の光センサ（図示せず）からの信号出力を基に、ＲＦ信号、フォーカスエラー信号、トラッキングエラー信号などのアナログ信号を生成する。そして、生成されたフォーカスエラー信号とトラッキングエラー信号は、サーボ制御回路８に送られ、ＲＦ信号はβ検出回路９と再生信号処理部（図示せず）に送られる。
【０００７】
サーボ制御回路８は、ＯＮ／ＯＦＦ回路、演算回路、フィルタ回路、増幅回路等によって構成され、送られてきたフォーカスエラー信号とトラッキングエラー信号を基に、光ピックアップ２に設けられた対物レンズとキャリッジとの相対的な位置関係を示すレンズ位置信号を生成し、光ピックアップ２に出力する。光ピックアップ２では、その信号を基に光ピックアップ２に備えられた対物レンズより出射される光ビームと光ディスク１の記録面におけるフォーカス制御とトラッキング制御を行う。
【０００８】
β検出回路９は送られてきたＲＦ信号からβ値を算出し、このβ値を用いてコントロール回路１０で記録の最適化処理の一つであるＯＰＣ（Ｏｐｔｉｍｕｍ  Ｐｏｗｅｒ  Ｃａｌｉｂｒａｔｉｏｎ）と呼ばれる記録パワーの最適化処理が行われ、記録パワーに関する設定値が記録制御回路７に設定される。記録制御回路７は、設定された記録パワーに関する設定値に基づき、レーザ駆動回路６に信号を送り、レーザ駆動回路６は光ピックアップ２から発せられるレーザ光の光量の制御を行う。
【０００９】
フィード部はフィードモータ、ギヤ、スクリューシャフト等から構成され、フィードモータを回転させることによってトラバースメカ５が移動し、その際フィードモータよりフィードモータパルスが周期的に出力されるようになっている。
【００１０】
この分野の先行例として、（特許文献１）等がある。
【特許文献１】特開平１０−３１２５６８号公報
【発明の開示】
【発明が解決しようとする課題】
【００１１】
光ディスク１に信号を記録する際には、通常、その記録に先立って、記録性能を上げるためにＯＰＣと呼ばれる記録パワーの最適化処理が行われる。
【００１２】
記録パワーの最適化処理において、算出される記録パワーの最適値は、光ディスク１に設けられている試し書き領域に対して、記録パワーの異なる複数の記録パワーで順番に記録を行い、その記録された記録信号を再生することで算出される。このとき、最適値を求める指標としてβ値を用いる。β値は、ＲＦ信号のＡＣ基準電圧に対するプラス側ピークレベルＡ１とマイナス側ピークレベルＡ２から、β＝（Ａ１＋Ａ２）／（Ａ１−Ａ２）で定義され、Ａ１＋Ａ２はプラス側の振幅とマイナス側の振幅との差、Ａ１−Ａ２は振幅となる。ところが、何らかの要因で、誤差を含むβ値が存在する場合、誤差を含むβ値の影響を受け、真の最適値が算出されない場合がある。
【００１３】
そこで、誤差を含むβ値が存在する場合、従来の光ディスク装置では以下のような方法によりそのβ値の補正を行っていた。
【００１４】
図７、図８は、従来の光ディスク装置における記録パワーとβ値の関係を示す図であり、横軸は記録パワー、縦軸はβ値である。ここで、図７（ａ）、図８（ａ）はＲＦ信号からβ値を算出した直後を示す図であり、図７（ｂ）、図８（ｂ）はそれぞれ図７（ａ）、図８（ａ）に示すβ値の一部に補正を加えたものである。図７、図８において、１０１〜１１０，１１４，１２１〜１３０，１３４はβ値である。
【００１５】
β値を算出するために用いた記録パワーを指標として、算出された複数のβ値を昇順もしくは降順に並べたとき、通常、誤差を含むβ値が存在する場合は、記録パワーに対するβ値の変化が単調減少または単調増加の組み合わせで変化しないので、その誤差を含むβ値は、その前後に算出されたβ値と比較されることで、ある程度特定することが可能である。すなわち、誤差を含むβ値は、その両隣に位置するβ値の間に値が存在しないということである。
【００１６】
ところが、この方法によると、誤差を含むβ値が一つしかない場合でも、誤差を含む可能性があるβ値が常に２つ検出されてしまう。従来はこれを回避するために、誤差を含む可能性があるβ値のうち、任意の一方を補正する処理、例えば最初に検出されたβ値を補正する処理などを行っている。しかしながら、この処理を行うと本来誤差を含んでいないβ値を補正してしまう可能性があり、ＯＰＣが正しく動作しない場合があった。
【００１７】
例えば、図７は、誤差を含むβ値がβ値１０４であり、補正される任意のβ値がβ値１０４である場合を示したものである。図７（ａ）において、算出されたβ値１０１〜β値１１０の中で、誤差を含む可能性があるβ値として検出されるβ値は、β値１０４とβ値１０５となる。このとき、補正されるβ値はβ値１０４であり、補正後のβ値を図７（ｂ）に示すβ値１１４とする。この場合、β値１０１〜β値１０３，β値１１４，β値１０５〜β値１１０のそれぞれの値は、図７（ｂ）に示すように直線上に並ぶため、誤差を含むβ値を正しく補正できている。
【００１８】
また、例えば、図８は、誤差を含むβ値がβ値１２５であり、補正される任意のβ値がβ値１２４である場合を示したものである。図８（ａ）において、算出されたβ値１２１〜β値１３０の中で、誤差を含む可能性があるβ値として検出されるβ値は、β値１２４とβ値１２５となる。このとき、補正されるβ値はβ値１２４であり、補正後のβ値を図８（ｂ）に示すβ値１３４とする。この場合、β値１２１〜β値１２３，β値１３４，β値１２５〜β値１３０のそれぞれの値は、図８（ｂ）に示すように直線上に並ばないため、誤差を含むβ値を正しく補正できていない。
【００１９】
このように、従来の方法によるβ値の補正では、誤差を含むβ値を正しく補正できない場合があった。
【００２０】
本発明は、上記課題を解決するためになされたものであり、記録の最適化処理を行う際に、補正すべきβ値を正しく把握することができ、記録パワーの最適化処理による最適値の精度向上をすることができる光ディスク装置の記録方法および光ディスク装置を提供することを目的とする。
【課題を解決するための手段】
【００２１】
本発明は、上記課題を解決するためになされたものであり、レーザ光により光ディスクに情報を記録する光ピックアップと、レーザ光の光量を制御するレーザ駆動部と、光ディスクからの反射光を基にＲＦ信号を生成する再生信号検出部と、ＲＦ信号を基にβ値を算出するβ検出部と、レーザ駆動部を複数の駆動値で駆動して複数の記録パワーに基づき複数のβ値を算出し、算出した複数のβ値を比較して記録パワーの最適化処理を行う制御部と、を備え、制御部は、複数のβ値を算出する際に用いた記録パワーを昇順もしくは降順に並べたとき、記録パワーに対応する少なくとも３つのβ値が連続して単調増加または単調減少をするβ値のうち、連続した２つのβ値の差をＸと定義し、最初に現れる単調増加または単調減少に反するβ値と、そのβ値に対して２つ隣に位置する単調増加または単調減少をするβ値との差をＹと定義し、２番目に現れる単調増加または単調減少に反するβ値と、そのβ値に対して２つ隣に位置する単調増加または単調減少をするβ値との差をＺと定義した場合、所定の数式｜２Ｘ−Ｙ｜＞｜２Ｘ−Ｚ｜を用いて単調増加または単調減少に反するβ値の中から補正するβ値を決定することを特徴とするものである。
【００２２】
また、複数の記録パワーに基づき複数のβ値を算出し、算出した複数のβ値を比較して記録パワーの最適化処理を行う光ディスク装置の記録方法であって、複数のβ値を算出する際に用いた記録パワーを昇順もしくは降順に並べたとき、記録パワーに対応する少なくとも３つのβ値が連続して単調増加または単調減少をするβ値のうち、連続した２つのβ値の差をＸと定義し、最初に現れる単調増加または単調減少に反するβ値と、そのβ値に対して２つ隣に位置する単調増加または単調減少をするβ値との差をＹと定義し、２番目に現れる単調増加または単調減少に反するβ値と、そのβ値に対して２つ隣に位置する単調増加または単調減少をするβ値との差をＺと定義した場合、第１の数式｜２Ｘ−Ｙ｜＞｜２Ｘ−Ｚ｜と、第２の数式３Ｘ＞Ｚ＞Ｘと、第３の数式３Ｘ＞Ｙ＞Ｘと、を用いて単調増加または単調減少に反するβ値の値を補正し記録パワーの最適化処理を行うことを特徴とするものである。
【発明の効果】
【００２３】
本発明は上記構成により、所定の数式｜２Ｘ−Ｙ｜＞｜２Ｘ−Ｚ｜を用いて単調増加または単調減少に反するβ値の中から補正するβ値を決定することによって、誤差を含むβ値の検出を正しく行うことが可能となる。
【００２４】
そのため、記録パワーの最適化処理を行う際に、補正すべきβ値を正しく把握することができ、記録パワーの最適化処理による最適値の精度向上をすることができる光ディスク装置の記録方法および光ディスク装置を実現することができる。
【発明を実施するための最良の形態】
【００２６】
請求項１記載の発明は、レーザ光により光ディスクに情報を記録する光ピックアップと、レーザ光の光量を制御するレーザ駆動部と、光ディスクからの反射光を基にＲＦ信号を生成する再生信号検出部と、ＲＦ信号を基にβ値を算出するβ検出部と、レーザ駆動部を複数の駆動値で駆動して複数の記録パワーに基づき複数のβ値を算出し、算出した複数のβ値を比較して記録パワーの最適化処理を行う制御部と、を備え、制御部は、複数のβ値を算出する際に用いた記録パワーを昇順もしくは降順に並べたとき、記録パワーに対応する少なくとも３つのβ値が連続して単調増加または単調減少をするβ値のうち、連続した２つのβ値の差をＸと定義し、最初に現れる単調増加または単調減少に反するβ値と、そのβ値に対して２つ隣に位置する単調増加または単調減少をするβ値との差をＹと定義し、２番目に現れる単調増加または単調減少に反するβ値と、そのβ値に対して２つ隣に位置する単調増加または単調減少をするβ値との差をＺと定義した場合、所定の数式｜２Ｘ−Ｙ｜＞｜２Ｘ−Ｚ｜を用いて単調増加または単調減少に反するβ値の中から補正するβ値を決定することを特徴とするものである。これにより、誤差を含むβ値の検出を正しく行うことが可能となる。そのため、記録パワーの最適化処理を行う際に、補正すべきβ値を正しく把握することができ、記録パワーの最適化処理による最適値の精度向上をすることができる光ディスク装置を実現することができる。
【００２８】
請求項２記載の発明は、制御部が、所定の数式を満足し、かつ３Ｘ＞Ｚ＞Ｘを満足する場合、最初に現れる単調増加または単調減少に反するβ値の値を補正することを特徴とするものである。これにより、誤差を含む可能性があるβ値の中から、誤差を含むβ値を容易に決定することができる。
【００２９】
請求項３記載の発明は、制御部が、所定の数式を満足せず、かつ３Ｘ＞Ｙ＞Ｘを満足する場合、２番目に現れる単調増加または単調減少に反するβ値の値を補正することを特徴とするものである。これにより、誤差を含む可能性があるβ値の中から、誤差を含むβ値を容易に決定することができる。
【００３１】
請求項４記載の発明は、複数の記録パワーに基づき複数のβ値を算出し、算出した複数のβ値を比較して記録パワーの最適化処理を行う光ディスク装置の記録方法であって、複数のβ値を算出する際に用いた記録パワーを昇順もしくは降順に並べたとき、記録パワーに対応する少なくとも３つのβ値が連続して単調増加または単調減少をするβ値のうち、連続した２つのβ値の差をＸと定義し、最初に現れる単調増加または単調減少に反するβ値と、そのβ値に対して２つ隣に位置する単調増加または単調減少をするβ値との差をＹと定義し、２番目に現れる単調増加または単調減少に反するβ値と、そのβ値に対して２つ隣に位置する単調増加または単調減少をするβ値との差をＺと定義した場合、第１の数式｜２Ｘ−Ｙ｜＞｜２Ｘ−Ｚ｜と、第２の数式３Ｘ＞Ｚ＞Ｘと、第３の数式３Ｘ＞Ｙ＞Ｘと、を用いて単調増加または単調減少に反するβ値の値を補正し記録パワーの最適化処理を行うことを特徴とするものである。これにより、誤差を含むβ値の検出をより確実に行うことができる。そのため、記録パワーの最適化処理を行う際に、補正すべきβ値を正しく把握することができ、記録パワーの最適化処理による最適値の精度向上をすることができる光ディスク装置の記録方法を実現することができる。
【００３３】
（実施の形態１）
以下、本発明の一実施の形態について，図面を参照しながら説明する。
【００３４】
ここで、本発明の一実施の形態における光ディスク装置の記録パワー制御系について、図１を用いて説明する。
【００３５】
図１は、本発明の一実施の形態における光ディスク装置の記録パワー制御系のブロック図である。図１において、１は光ディスク、２は光ピックアップ、３は再生信号検出回路、４はスピンドルモータ、５はトラバースメカ、６はレーザ駆動回路、７は記録制御回路、８はサーボ制御回路、９はβ検出回路、１０はコントロール回路、１１はピックアップモジュールである。
【００３６】
ピックアップモジュール１１は、光ディスク１を回転させるスピンドルモータ４と、光ディスク１の情報信号を記録または再生の少なくとも一方を行う光ピックアップ２と、光ピックアップ２が搭載されたキャリッジを光ディスク１の半径方向に移動させるためのトラバースメカ５とによって構成されたものである。
【００３７】
再生信号検出回路３は、光ピックアップ２内部の光センサ（図示せず）からの信号出力を基に、ＲＦ信号、フォーカスエラー信号、トラッキングエラー信号などのアナログ信号を生成する。そして、生成されたフォーカスエラー信号とトラッキングエラー信号は、サーボ制御回路８に送られ、ＲＦ信号はβ検出回路９と再生信号処理部（図示せず）に送られる。
【００３８】
サーボ制御回路８は、ＯＮ／ＯＦＦ回路、演算回路、フィルタ回路、増幅回路等によって構成され、送られてきたフォーカスエラー信号とトラッキングエラー信号を基に、光ピックアップ２に設けられた対物レンズとキャリッジとの相対的な位置関係を示すレンズ位置信号を生成し、光ピックアップ２に出力する。光ピックアップ２では、その信号を基に光ピックアップ２に備えられた対物レンズより出射される光ビームと光ディスク１の記録面におけるフォーカス制御とトラッキング制御を行う。
【００３９】
β検出回路９は送られてきたＲＦ信号からβ値を算出し、このβ値を用いてコントロール回路１０でＯＰＣ（Ｏｐｔｉｍｕｍ  Ｐｏｗｅｒ  Ｃａｌｉｂｒａｔｉｏｎ）と呼ばれる記録パワーの最適化処理が行われ、記録パワーに関する設定値が記録制御回路７に設定される。記録制御回路７は、設定された記録パワーに関する設定値に基づき、レーザ駆動回路６に信号を送り、レーザ駆動回路６は光ピックアップ２から発せられるレーザ光の光量の制御を行う。
【００４０】
フィード部はフィードモータ、ギヤ、スクリューシャフト等から構成され、フィードモータを回転させることによってトラバースメカ５が移動し、その際フィードモータよりフィードモータパルスが周期的に出力されるようになっている。
【００４１】
コントロール回路１０は本発明の制御部を構成し、再生信号検出回路３、レーザ駆動回路６、記録制御回路７、サーボ制御回路８、β検出回路９の各部から送られる信号が入力され、これらの信号の演算処理等を行い、この演算処理の結果（信号）を各部に送出し、各部にて駆動、処理を実行させ、各部の制御を行うものである。なお、詳細な説明や図示は省略するが、コントロール回路１０は、少なくとも、演算機能を備えたＣＰＵ、ＭＰＵ等の演算処理装置や、ＲＯＭ、ＲＡＭ等の記憶装置を備える。
【００４２】
ここで、本発明における光ディスク装置の信号の流れについて説明する。
【００４３】
本発明の光ディスク装置の記録時における信号の流れは、コントロール回路１０の記録指令に基づき、記録制御回路７、レーザ駆動回路６を介して光ピックアップ２を動作させ、光ディスク１に情報の記録を行う。また、本発明の光ディスク装置の再生時における信号の流れは、光ディスク１に記録された情報を光ピックアップ２で読み取り、再生信号検出回路３、β検出回路９を介して、コントロール回路１０が情報の入手を行う。そのため、記録と再生を繰り返し行うことで記録パワーの最適化処理を行う本発明の光ディスク装置では、上述の信号の流れが繰り返し行われることで記録パワーの最適化処理が行われる。
【００４４】
次に、本発明の一実施の形態における光ディスク装置の記録パワーの最適化処理について説明する。
【００４５】
図２は、本発明の一実施の形態における光ディスク装置の記録パワーの最適化処理を示すフローチャートである。
【００４６】
光ディスク１が光ディスク装置に装着されると、スピンドルモータ４を回転させ、光ピックアップ２のレーザを発光させ、フォーカスサーボ、トラッキングサーボをかけ、ＯＰＣと呼ばれる記録パワーの最適化処理を開始する（Ｓ１）。
【００４７】
記録パワーの最適化処理は、まず、コントロール回路１０が、記録パワーが異なる１０種類の設定値を記録制御回路７に設定する。記録制御回路７は、設定された１０種類の設定値に基づき、レーザ駆動回路６，光ピックアップ２を介して、光ディスク１の試し書き領域に一定量の記録を順次行う（Ｓ２）。
【００４８】
次に、コントロール回路１０は、光ディスク１の試し書き領域に記録された１０種類の記録を順次再生し、光ピックアップ２から得られる反射光を基に再生信号検出回路３でＲＦ信号を生成し、β検出回路９で生成されたＲＦ信号を基にβ値の算出を行う（Ｓ３）。
【００４９】
算出された１０種類のβ値はコントロール回路１０に送られ、β値を算出するために用いた記録パワーを指標として、算出された複数のβ値を予め準備されたテーブルに昇順もしくは降順に並べられる。本実施の形態においては、光ディスク１の試し書き領域に一定量の記録を順次行う際に、記録パワーを昇順もしくは降順に段階的に変化させたため、β値を算出するために用いた記録パワーを指標として、算出された複数のβ値を昇順もしくは降順に並べ替える処理を省略することができる。
【００５０】
コントロール回路１０では、記録パワーの変化に対するβ値の単調増加性または単調減少性の確認が行われる（Ｓ４）。ここで、記録パワーの変化に対して単調増加または単調減少に反するβ値が３つ以上発生した場合には（Ｓ５）、ステップ２（Ｓ２）の動作に戻り、以降単調増加または単調減少に反するβ値が２つになるまでステップ２（Ｓ２）〜ステップ５（Ｓ５）の動作を繰り返す。また、記録パワーの変化に対して単調増加または単調減少に反するβ値が２つの場合には（Ｓ５）、ステップ６（Ｓ６）以降に進む。ステップ６（Ｓ６）以降では、誤差を含むβ値の特定と誤差を含むβ値の補正を行う。また、記録パワーの変化に対して単調増加または単調減少に反するβ値が１つ以下の場合には（Ｓ５）、ステップ１３（Ｓ１３）に進み、そのまま近似線と目標βにより最適記録パワーを決定する。
【００５１】
誤差を含むβ値の特定では、まず、β値を算出するために用いた記録パワーを指標として、算出された複数のβ値を昇順もしくは降順に並べたとき、少なくとも３つのβ値が連続して単調増加または単調減少をするβ値のうち連続した２つのβ値の差をＸと定義する（Ｓ６）。また、最初に現れる単調増加または単調減少に反するβ値と、そのβ値に対して２つ隣に位置する単調増加または単調減少をするβ値との差をＹと定義する（Ｓ６）。さらに、２番目に現れる単調増加または単調減少に反するβ値と、そのβ値に対して２つ隣に位置する単調増加または単調減少をするβ値との差をＺと定義する（Ｓ６）。その後、Ｙ＝Ｚであるかの確認を行う（Ｓ７）。ここで、Ｙ＝Ｚでなければステップ８（Ｓ８）以降へ進み、Ｙ＝Ｚであればステップ２（Ｓ２）へ戻り、Ｙ＝Ｚでなくなるまでステップ２（Ｓ２）〜ステップ７（Ｓ７）の動作を繰り返す。
【００５２】
次に、ステップ６（Ｓ６）で定義した値を使用した所定の数式を用いて場合分けを行う（Ｓ８）。ここで用いられる所定の数式は、｜２Ｘ−Ｙ｜＞｜２Ｘ−Ｚ｜であり、数式｜２Ｘ−Ｙ｜＞｜２Ｘ−Ｚ｜を満足する場合にはステップ９（Ｓ９）に進み、数式｜２Ｘ−Ｙ｜＞｜２Ｘ−Ｚ｜を満足しない場合にはステップ１１（Ｓ１１）に進む。ここで用いられる所定の数式が、数式｜２Ｘ−Ｙ｜＞｜２Ｘ−Ｚ｜であることによって、誤差を含むβ値の検出をより確実に行うことができる。
【００５３】
数式｜２Ｘ−Ｙ｜＞｜２Ｘ−Ｚ｜を満足してステップ９（Ｓ９）へ進むと、ステップ６（Ｓ６）で定義した値を使用した所定の数式を用いて場合分けを行う。ここで用いられる所定の数式は３Ｘ＞Ｚ＞Ｘであり、数式３Ｘ＞Ｚ＞Ｘを満足する場合、最初に現れる単調増加または単調減少に反するβ値の補正を行う（Ｓ１０）。ここでのβ値の補正は、最初に現れる単調増加または単調減少に反するβ値が、そのβ値の両隣のβ値を平均した平均値に置き換えられる。ここで用いられる所定の数式が、３Ｘ＞Ｚ＞Ｘであることによって誤差を含むβ値の検出をより確実に行うことができる。
【００５４】
また、数式｜２Ｘ−Ｙ｜＞｜２Ｘ−Ｚ｜を満足せずにステップ１１（Ｓ１１）に進むと、ステップ６（Ｓ６）で定義した値を使用した所定の数式を用いて場合分けを行う。ここで用いられる所定の数式は３Ｘ＞Ｙ＞Ｘであり、数式３Ｘ＞Ｙ＞Ｘを満足する場合、２番目に現れる単調増加または単調減少に反するβ値の補正を行う（Ｓ１２）。ここでのβ値の補正は、２番目に現れる単調増加または単調減少に反するβ値が、そのβ値の両隣のβ値を平均した平均値に置き換えられる。ここで用いられる所定の数式が、３Ｘ＞Ｙ＞Ｘであることによって誤差を含むβ値の検出をより確実に行うことができる。
【００５５】
ステップ９（Ｓ９）において数式３Ｘ＞Ｚ＞Ｘを満足しない場合、もしくはステップ１１（Ｓ１１）において数式３Ｘ＞Ｙ＞Ｘを満足しない場合には、いずれの場合にもステップ２（Ｓ２）の動作に戻り、以降単調増加または単調減少に反するβ値が２つになり、かつ数式３Ｘ＞Ｚ＞Ｘもしくは数式３Ｘ＞Ｙ＞Ｘを満足するまで、ステップ２（Ｓ２）〜ステップ９（Ｓ９）またはステップ２（Ｓ２）〜ステップ１１（Ｓ１１）の動作を繰り返す。
【００５６】
ステップ１０（Ｓ１０）またはステップ１２（Ｓ１２）で、単調増加または単調減少に反するβ値の補正を行うと、補正されたβ値を含むβ値により算出される近似線と目標とするβ値を基に記録パワーの決定を行う（Ｓ１３）。
【００５７】
なお、本実施の形態においては、コントロール回路１０により記録パワーの最適化処理のために設定される設定値を１０種類としたが、設定される設定値は１０種類に限定されるものではなく、９種類や１１種類になっても良い。設定される設定値が多くなれば記録パワーの最適化処理による最適値の精度が上がり、設定される設定値が少なくなれば記録パワーの最適化処理による最適値の精度が下がる。
【００５８】
また、本実施の形態においては、光ディスク１の試し書き領域で記録パワーの最適化処理が行われるものとしたが、これに限定されるものではない。光ディスク１の試し書き領域で記録パワーの最適化処理が行われることによって、使用者の指示により記録が行われるユーザデータ記録領域に不安定な記録品質のデータを書き込まなくて良い。
【００５９】
次に、図２に示す、ステップ６（Ｓ６）〜ステップ１０（Ｓ１０）、またはステップ６（Ｓ６）〜ステップ１２（Ｓ１２）に基づく、誤差を含むβ値を検出する動作の詳細について、図３〜図５を用いて詳細に説明する。
【００６０】
図３〜図５は、本発明の一実施の形態における記録パワーとβ値の関係を示す図であり、横軸は記録パワー、縦軸はβ値である。図３〜図５において、１０１〜１１０，１１４，１２１〜１３０，１３５，１４１〜１５０はβ値である。
【００６１】
誤差を含むβ値が現れる形態は、図３〜図５に示す３つの形態である。以下、この３つの形態において、誤差を含むβ値を検出する動作の詳細について順に説明する。
【００６２】
図３は、誤差を含むβ値がβ値１０４である場合を示したものである。図３に示す形態において、まず、ステップ６（Ｓ６）で誤差を含むβ値の特定を行う。
【００６３】
誤差を含むβ値の特定では、まず、β値を算出するために用いた記録パワーを指標として、算出された複数のβ値を昇順もしくは降順に並べたとき、少なくとも３つのβ値が連続して単調増加または単調減少をするβ値のうち連続した２つのβ値の差をＸと定義する（Ｓ６）。ここでは、２つのβ値をβ値１０２とβ値１０３として、その２つのβ値の差をＸと定義する。
【００６４】
また、最初に現れる単調増加または単調減少に反するβ値と、そのβ値に対して２つ隣に位置する単調増加または単調減少をするβ値との差をＹと定義する（Ｓ６）。ここでは、最初に現れる単調増加または単調減少に反するβ値をβ値１０４、そのβ値１０４に対して２つ隣に位置する単調増加または単調減少をするβ値をβ値１０２として、その２つのβ値の差をＹと定義する。
【００６５】
さらに、２番目に現れる単調増加または単調減少に反するβ値と、そのβ値に対して２つ隣に位置する単調増加または単調減少をするβ値との差をＺと定義する（Ｓ６）。ここでは、２番目に現れる単調増加または単調減少に反するβ値をβ値１０５、そのβ値１０５に対して２つ隣に位置する単調増加または単調減少するβ値をβ値１０３として、その２つのβ値の差をＺと定義する。
【００６６】
その後、Ｙ＝Ｚであるかの確認を行う（Ｓ７）。図３に示す形態ではＹ＝Ｚでないため、ステップ８（Ｓ８）に進む。
【００６７】
次に、ステップ８（Ｓ８）では、ステップ６（Ｓ６）で定義した値を使用した所定の数式｜２Ｘ−Ｙ｜＞｜２Ｘ−Ｚ｜を用いて場合分けを行う。図３に示す形態では、Ｚ＝２Ｘ，Ｙ＞２Ｘであり、数式｜２Ｘ−Ｙ｜＞｜２Ｘ−Ｚ｜を満足するため、ステップ９（Ｓ９）に進む。
【００６８】
ステップ９（Ｓ９）では、数式３Ｘ＞Ｚ＞Ｘで場合分けを行う。図３に示す形態では、Ｚ＝２Ｘであり、数式３Ｘ＞Ｚ＞Ｘを満足するため、以降ステップ１０（Ｓ１０），ステップ１３（Ｓ１３）の順に進む。
【００６９】
このように、誤差を含むβ値としてβ値１０４を検出することが可能であり、そのβ値１０４をβ値１１４に補正することができる。また、数式｜２Ｘ−Ｙ｜＞｜２Ｘ−Ｚ｜を満足し、かつ数式３Ｘ＞Ｚ＞Ｘを満足する場合、最初に現れる単調増加または単調減少に反するβ値の値を補正することによって、誤差を含む可能性があるβ値の中から、誤差を含むβ値を容易に決定することができる。
【００７０】
図４は、誤差を含むβ値がβ値１２５である場合を示したものである。図４に示す形態において、まず、ステップ６（Ｓ６）で誤差を含むβ値の特定を行う。
【００７１】
誤差を含むβ値の特定では、まず、β値を算出するために用いた記録パワーを指標として、算出された複数のβ値を昇順もしくは降順に並べたとき、少なくとも３つのβ値が連続して単調増加または単調減少をするβ値のうち連続した２つのβ値の差をＸと定義する（Ｓ６）。ここでは、２つのβ値をβ値１２２とβ値１２３として、その２つのβ値の差をＸと定義する。
【００７２】
また、最初に現れる単調増加または単調減少に反するβ値と、そのβ値に対して２つ隣に位置する単調増加または単調減少をするβ値との差をＹと定義する（Ｓ６）。ここでは、最初に現れる単調増加または単調減少に反するβ値をβ値１２４、そのβ値１２４に対して２つ隣に位置する単調増加または単調減少するβ値をβ値１２２として、その２つのβ値の差をＹと定義する。
【００７３】
さらに、２番目に現れる単調増加または単調減少に反するβ値と、そのβ値に対して２つ隣に位置する単調増加または単調減少をするβ値との差をＺと定義する（Ｓ６）。ここでは、２番目に現れる単調増加または単調減少に反するβ値をβ値１２５、そのβ値に対して２つ隣に位置する単調増加または単調減少をするβ値をβ値１２３として、その２つのβ値の差をＺと定義する。
【００７４】
その後、Ｙ＝Ｚであるかの確認を行う（Ｓ７）。図４に示す形態ではＹ＝Ｚでないため、ステップ８（Ｓ８）に進む。
【００７５】
次に、ステップ８（Ｓ８）では、ステップ６（Ｓ６）で定義した値を使用した所定の数式｜２Ｘ−Ｙ｜＞｜２Ｘ−Ｚ｜を用いて場合分けを行う。図４に示す形態では、Ｙ＝２Ｘであり、数式｜２Ｘ−Ｙ｜＞｜２Ｘ−Ｚ｜を満足するため、ステップ１１（Ｓ１１）に進む。
【００７６】
ステップ１１（Ｓ１１）では、数式３Ｘ＞Ｙ＞Ｘで場合分けを行う。図４に示す形態では、Ｙ＝２Ｘであり、数式３Ｘ＞Ｙ＞Ｘを満足するため、以降ステップ１２（Ｓ１２），ステップ１３（Ｓ１３）の順に進む。
【００７７】
このように、誤差を含むβ値としてβ値１２５を検出することが可能であり、そのβ値１２５をβ値１３５に補正することができる。また、数式｜２Ｘ−Ｙ｜＞｜２Ｘ−Ｚ｜を満足せず、かつ数式３Ｘ＞Ｚ＞Ｘを満足する場合、２番目に現れる単調増加または単調減少に反するβ値の値を補正することによって、誤差を含む可能性があるβ値の中から、誤差を含むβ値を容易に決定することができる。
【００７８】
図５は、誤差を含むβ値が２つあり、そのβ値がβ値１４４、β値１４５である場合を示したものである。図５に示す形態において、まず、ステップ６（Ｓ６）で誤差を含むβ値の特定を行う。
【００７９】
誤差を含むβ値の特定では、まず、β値を算出するために用いた記録パワーを指標として、算出された複数のβ値を昇順もしくは降順に並べたとき、少なくとも３つのβ値が連続して単調増加または単調減少をするβ値のうち連続した２つのβ値の差をＸと定義する（Ｓ６）。ここでは、２つのβ値をβ値１４２とβ値１４３として、その２つのβ値の差をＸと定義する。
【００８０】
また、最初に現れる単調増加または単調減少に反するβ値と、そのβ値に対して２つ隣に位置する単調増加または単調減少をするβ値との差をＹと定義する（Ｓ６）。ここでは、最初に現れる単調増加または単調減少に反するβ値をβ値１４４、そのβ値１４４に対して２つ隣に位置する単調増加または単調減少するβ値をβ値１４２として、その２つのβ値の差をＹと定義する。
【００８１】
さらに、２番目に現れる単調増加または単調減少に反するβ値と、そのβ値に対して２つ隣に位置する単調増加または単調減少をするβ値との差をＺと定義する（Ｓ６）。ここでは、２番目に現れる単調増加または単調減少に反するβ値をβ値１４５、そのβ値に対して２つ隣に位置する単調増加または単調減少をするβ値をβ値１４３として、その２つのβ値の差をＺと定義する。
【００８２】
その後、Ｙ＝Ｚであるかの確認を行う（Ｓ７）。図５に示す形態ではＹ＝Ｚでないため、ステップ８（Ｓ８）に進む。
【００８３】
次に、ステップ８（Ｓ８）では、ステップ６（Ｓ６）で定義した値を使用した所定の数式｜２Ｘ−Ｙ｜＞｜２Ｘ−Ｚ｜を用いて場合分けを行う。図５に示す形態では、ＹとＺの値によって、数式｜２Ｘ−Ｙ｜＞｜２Ｘ−Ｚ｜を満足する場合と満足しない場合が発生する。
【００８４】
数式｜２Ｘ−Ｙ｜＞｜２Ｘ−Ｚ｜を満足して、ステップ９（Ｓ９）に進んだ場合には、数式３Ｘ＞Ｚ＞Ｘで場合分けを行う。ここでの場合分けは、数式｜２Ｘ−Ｙ｜＞｜２Ｘ−Ｚ｜で補正すべきβ値を検出できない形態を取り除くものである。図５に示す形態は、数式３Ｘ＞Ｚ＞Ｘを満足しない場合、つまり数式｜２Ｘ−Ｙ｜＞｜２Ｘ−Ｚ｜で補正すべきβ値を検出できない形態であるため、ステップ２（Ｓ２）の動作に戻り、以降単調増加または単調減少に反するβ値が２つになり、かつ数式３Ｘ＞Ｚ＞Ｘもしくは数式３Ｘ＞Ｙ＞Ｘを満足するまで、ステップ２（Ｓ２）〜ステップ９（Ｓ９）またはステップ２（Ｓ２）〜ステップ１１（Ｓ１１）の動作を繰り返す。
【００８５】
一方、数式｜２Ｘ−Ｙ｜＞｜２Ｘ−Ｚ｜を満足せずに、ステップ１１（Ｓ１１）に進んだ場合には、数式３Ｘ＞Ｙ＞Ｘで場合分けを行う。ここでの場合分けは、数式｜２Ｘ−Ｙ｜＞｜２Ｘ−Ｚ｜で補正すべきβ値を検出できない形態を取り除くものである。図５に示す形態は、数式３Ｘ＞Ｙ＞Ｘを満足しない場合、つまり数式｜２Ｘ−Ｙ｜＞｜２Ｘ−Ｚ｜で補正すべきβ値を検出できない形態であるため、ステップ２（Ｓ２）の動作に戻り、以降単調増加性または単調減少性に反するβ値が２つになり、かつ数式３Ｘ＞Ｚ＞Ｘもしくは数式３Ｘ＞Ｙ＞Ｘを満足するまで、ステップ２（Ｓ２）〜ステップ９（Ｓ９）またはステップ２（Ｓ２）〜ステップ１１（Ｓ１１）の動作を繰り返す。
【００８６】
このように、誤差を含むβ値を数式｜２Ｘ−Ｙ｜＞｜２Ｘ−Ｚ｜で検出できない場合には、補正すべきβ値が検出可能になるまでステップ２（Ｓ２）〜ステップ９（Ｓ９）またはステップ２（Ｓ２）〜ステップ１１（Ｓ１１）の動作を繰り返す。
【００８７】
以上の内容により、記録パワーの最適化処理を行う際に、複数の記録パワーに基づき複数のβ値が算出され、算出されたβ値のうちの少なくとも一部が、所定の数式に基づき比較されることによって、誤差を含むβ値の検出を正しく行うことが可能となる。
【００８８】
そのため、記録パワーの最適化処理を行う際に、補正すべきβ値を正しく把握することができ、記録パワーの最適化処理による最適値の精度向上をすることができる光ディスク装置の記録方法および光ディスク装置を実現することができる。
【産業上の利用可能性】
【００８９】
本発明は、記録パワーの最適化処理を行う際に、誤差を含むβ値の検出を正しく行うことが可能となり、記録パワーの最適化処理による最適値の精度向上ができるため、光ディスクに情報の記録を行う光ディスク装置の記録方法および光ディスク装置などに適応可能である。
【図面の簡単な説明】
【００９０】
【図１】本発明の一実施の形態における光ディスク装置の記録パワー制御系のブロック図
【図２】本発明の一実施の形態における光ディスク装置の記録パワーの最適化処理を示すフローチャート
【図３】本発明の一実施の形態における記録パワーとβ値の関係を示す図
【図４】本発明の一実施の形態における記録パワーとβ値の関係を示す図
【図５】本発明の一実施の形態における記録パワーとβ値の関係を示す図
【図６】従来の光ディスク装置における記録パワー制御系のブロック図
【図７】従来の光ディスク装置における記録パワーとβ値の関係を示す図
【図８】従来の光ディスク装置における記録パワーとβ値の関係を示す図
【符号の説明】
【００９１】
１    光ディスク
２    光ピックアップ
３    再生信号検出回路
４    スピンドルモータ
５    トラバースメカ
６    レーザ駆動回路
７    記録制御回路
８    サーボ制御回路
９    β検出回路
１０    コントロール回路
１１    ピックアップモジュール
１０１〜１１０    β値
１１４    β値
１２１〜１３０    β値
１３４    β値
１３５    β値
１４１〜１５０    β値
【図１】
0004424301.tif 000002
【図２】
0004424301.tif 000003
【図３】
0004424301.tif 000004
【図４】
0004424301.tif 000005
【図５】
0004424301.tif 000006
【図６】
0004424301.tif 000007
【図７】
0004424301.tif 000008
【図８】
0004424301.tif 000009